(57)【要約】【課題】計測流路内に水等が浸入した場合、早期に異常を検知する安全性の高い超音波ガスメータを提供することを目的とする。【解決手段】ガスが通過する計測流路５の天面の上流側と下流側に一対の超音波センサ１３、１４が設置され、計測流路５の底面に超音波信号が反射するための反射部１５を設け、反射部１５を凹陥形状としたものである。これにより、計測流路５に水等が浸入したときに、少量の水量であっても早期段階で反射部１５に水が貯留し、超音波信号が不安定となり増幅度の上昇、流量値の変動が生じるため制御装置１２が異常判定し、ガスの供給を停止するため、浸水による誤計測を早期に検出し、誤計測を行なう期間を短縮することができる。【選択図】図１
2012002708.tif 000002
【特許請求の範囲】
【請求項１】
ガスが通過する計測流路と、
前記計測流路の天面の上流側と下流側に設置された一対の超音波センサと、
前記計測流路の底面に設けた超音波を反射するための反射部と、
超音波の送信を行う前記超音波センサを駆動する送信手段と、
超音波の受信を行う前記超音波センサで受信した信号を増幅して受信の判定を行う受信手段と、
前記超音波センサの一方から送信された超音波が前記反射部に反射して他方の前記超音波センサに受信され、前記受信手段で受信判定されるまでの伝搬時間を計測する伝搬時間計測手段と、
前記伝搬時間計測手段で計測された伝搬時間から流量を算出する演算手段と、
前記受信手段における前記超音波センサの信号の増幅度を設定する制御手段と、
前記制御手段で設定された増幅度から異常の有無を判定する異常判定手段と、
前記異常判定手段にて異常判定時にガスの供給を遮断する遮断手段と、を含み、
前記反射部は、凹陥状に形成した、
超音波ガスメータ。
【請求項２】
前記計測流路の底面を上流側および下流側の少なくとも一方から前記反射部に向かい下方向に傾斜をもたせた、
請求項１に記載の超音波ガスメータ。
【請求項３】
前記超音波センサ間の超音波伝搬経路がＶ字形状をなす、
請求項１または２に記載の超音波ガスメータ。
【請求項４】
前記超音波センサ間の超音波伝搬経路がＷ字形状をなす、
請求項１〜３のいずれか１項に記載の超音波ガスメータ。
【発明の詳細な説明】
【技術分野】
【０００１】
本発明は、超音波を用いて流量計測を行なう超音波ガスメータに関し、特に雨水等の浸水による誤計測の防止に関するものである。
【背景技術】
【０００２】
従来、この種の超音波ガスメータは、図５に示すようにガスが流入する流入口２８と流出する流出口２９を有し、相対向して短辺および長辺を有する矩形の流路３０と、前記流路３０の同一短辺に第一の超音波センサ３１と第二の超音波センサ３２が設置され、超音波信号を対向面で反射させて超音波信号の送受信を行ない、超音波信号の伝搬時間を計測する計測制御手段と、前記計測制御手段からの信号に基づいて流量を算出する演算手段から構成されている（例えば、特許文献１参照）。
【先行技術文献】
【特許文献】
【０００３】
【特許文献１】特開２００４−２７９２２４号公報
【発明の概要】
【発明が解決しようとする課題】
【０００４】
しかしながら、前記従来の構成では、計測流路内にガス配管の継ぎ手から雨水や、隣接された水道配管等の漏水がガス配管にあたり、ガス配管に穴をあけるサンドブラスト現象を引き起こすことなどにより浸水した場合、計測流路の断面積が変化することで実際のガス流量と計測によるガス流量との間に誤差が生じ、超音波信号が妨げられるまでの間は流量計測が正常に行なわれなくなるという観点からは未だ改善の余地があった。
【０００５】
本発明は、前記従来の課題に鑑みてなされたものであり、計測流路内への浸水を早期に検出し誤計測の期間の短縮化、或いはガス事業者のセンターに通報したり、ガス供給を停止し保安を確保する安全性の高い超音波ガスメータを提供することを目的とする。
【課題を解決するための手段】
【０００６】
前記従来の課題を解決するために、本発明の超音波ガスメータは、ガスが通過する計測流路と、計測流路の上方に上流と下流に設置された一対の超音波センサと、計測流路の下方に設けた超音波を反射するための反射部と、超音波の送信を行う超音波センサを駆動する送信手段と、超音波の受信を行う超音波センサで受信した信号を増幅して受信の判定を行う受信手段と、超音波センサの一方から送信された超音波が反射部に反射して他方の超音波センサに受信され、受信手段で受信判定されるまでの伝搬時間を計測する伝搬時間計測手段と、伝搬時間計測手段で計測された伝搬時間から流量を算出する演算手段と、受信手段における超音波センサの信号の増幅度を設定する制御手段と、制御手段で設定された増幅度から異常の有無を判定する異常判定手段と、異常判定手段で異常判定時にガスの供給を遮断する遮断手段とを含み、反射部は凹陥状に形成している。
【０００７】
これにより、計測流路内に浸水した場合、短期間で反射部に水が貯留することで、計測手段で計測する信号が不安定となるため、制御部で信号の増幅を行なうことで異常判定手段にて異常と判定しガスの供給を遮断する。
【発明の効果】
【０００８】
本発明の超音波ガスメータは、計測流路内に雨水等が入り浸水状態になった場合に、早期段階でその状態を判定しガスの供給を停止することで、流量計測の誤計測期間の短縮化
を図ることができる。
【図面の簡単な説明】
【０００９】
【図１】本発明の実施の形態１における超音波ガスメータの概略構成を示す構造図
【図２】本発明の実施の形態１における超音波ガスメータに搭載される制御装置の構成を示すブロック図
【図３】本発明の実施の形態１における超音波ガスメータの他の実施例を示す構造図
【図４】本発明の実施の形態２における超音波ガスメータの概略構成を示す構造図
【図５】従来の超音波ガスメータの概略構成を示す構造図
【発明を実施するための形態】
【００１０】
第１の発明は、ガスが通過する計測流路と、前記計測流路の天面の上流側と下流側に設置された一対の超音波センサと、前記計測流路の底面に設けた超音波を反射するための反射部と、超音波の送信を行なう前記超音波センサを駆動する送信手段と、超音波の受信を行う前記超音波センサで受信した信号を増幅して受信の判定を行なう受信手段と、前記超音波センサの一方から送信された超音波が前記反射部に反射して他方の前記超音波センサに受信され、前記受信手段で受信判定されるまでの伝搬時間を計測する伝搬時間計測手段と、前記伝搬時間計測手段で計測された伝搬時間から流量を算出する演算手段と、前記受信手段における前記超音波センサの信号の増幅度を設定する制御手段と、前記制御手段で設定された増幅度から異常の有無を判定する異常判定手段と、前記異常判定手段にて異常判定時にガスの供給を遮断する遮断手段とを含み、前記反射部は凹陥状に形成した超音波ガスメータである。
【００１１】
これにより、計測流路内に雨水等により浸水した場合、反射部に早期に貯留することで超音波センサの信号が小さくなるため制御手段にて増幅度を大きく設定する。その際の増幅度を異常判定手段で判定し、所定範囲外の増幅度の場合に異常判定を行ない、遮断手段でガスの供給を停止するため、浸水による誤計測を早期に検出し、誤計測を行なう期間を短縮することができる。
【００１２】
第２の発明は、特に、第１の発明において、前記計測流路の底面を上流側および下流側の少なくとも一方から前記反射部に向かい、下方向に傾斜をもたせた超音波ガスメータである。
【００１３】
これにより、雨水等により浸水した場合、傾斜により水が反射部に貯留しやすくすることで、浸水による誤計測をより早期に検出し、誤計測を行なう期間を短縮することができる。
【００１４】
第３の発明は、特に、第１または第２の発明において、前記超音波センサ間の超音波伝搬経路がＶ字形状をなす超音波ガスメータである。
【００１５】
これにより、超音波センサの信号の反射を１回利用した送受信により、超音波伝搬経路を長くすることができるため、計測精度を向することができる。
【００１６】
第４の発明は、特に、第１〜第３のいずれか１つの発明において、超音波センサ間の超音波伝搬経路がＷ字形状をなす超音波ガスメータである。
【００１７】
これにより、超音波センサの信号の反射を２回利用した送受信により、超音波伝搬経路をより長くすることができるため、計測精度をより向上することができる。
【００１８】
以下、本発明の実施の形態について、図面を参照しながら説明する。なお、この実施の
形態によって本発明が限定されるものではない。
【００１９】
（実施の形態１）
図１は、本発明の実施の形態１における超音波ガスメータの概略構成を示す構造図、図２は超音波ガスメータに搭載される制御装置の構成を示すブロック図である。
【００２０】
図１において、超音波ガスメータ１は、ガスが入口２から略鉛直に設置された導入路３を経て上流側流路４を介し、略水平に設置された計測流路５を経て、下流側流路６を介し略鉛直に設置された導出路７を経て出口８からガス消費機器へ至るように構成されている。導入路３、計測流路５、導出路７は全体的なコンパクト化を図るために直角状に接続され略コ字状をなしており、また計測流路５はそれぞれ対向する短辺および長辺を有し、断面が矩形状に設定してある。
【００２１】
導入路３は、入口２から計測流路５に至る途中に弁体９で開閉される弁座１０を有するものである。
【００２２】
弁体９は電磁装置或いはステッピングモーターなどから駆動体１１に連係しており、制御装置１２にて異常を判定した場合などに、弁座１０を閉じるように駆動体１１が弁体９を動作するものである。
【００２３】
そして、計測流路５の天面には上流側超音波センサ１３、下流側超音波センサ１４がガス進行方向に沿って、上流側と下流側に所定間隔をおいて配置されている。
【００２４】
上流側超音波センサ１３、下流側超音波センサ１４は一方より送信された超音波の信号が計測流路５の底面に設けた反射部１５に反射して他方に受信されるようにしてある。つまり超音波伝搬経路が反射を１回利用したＶ字形状をなすように設定してある。
【００２５】
また別の構成として、図３に示すように、計測流路５の底面の２箇所と天面の１箇所に反射部１５を設け、３箇所の反射部１５で反射を３回させるＷ字形状でも実施できる。超音波伝搬経路をＷ字形状にすることで超音波伝搬経路をＶ字形状より長くとれ、且つ超音波センサを配置する位置の自由度が向上するため、超音波ガスメータ１内の限られた空間を阻害することなく、計測精度の向上を図ることができる。なお、底面に設置された反射部１５は計測流路５内に浸水した水等が貯留できるように凹陥状に形成されている。
【００２６】
上記のように配置された上流側超音波センサ１３と下流側超音波センサ１４と反射部１５は、制御装置１２が上流側超音波センサ１３、下流側超音波センサ１４を送受信させて、ガスの流れに対して順方向と逆方向の超音波伝搬時間の差を一定間隔おいて計測し、伝搬時間差から流量を算出している。制御装置１２にはリチウム電池などで構成される電源手段１６が接続されている。
【００２７】
図２に示すように、計測手段１７は上流側超音波センサ１３、下流側超音波センサ１４、切替手段１８、送信手段１９、受信手段２０、伝搬時間計測手段２１、信号判定手段２２、及び制御手段２３とからなる。
【００２８】
超音波信号を送信または受信する上流側超音波センサ１３と受信または送信する下流側超音波センサ１４が切替手段１８によって送受信の切替が可能になっている。この上流側超音波センサ１３或いは下流側超音波センサ１４に超音波信号を出力する送信手段１９が接続され、切替手段１８によって上流側超音波センサ１３或いは下流側超音波センサ１４を介して超音波信号を受信手段２０で受信する。
【００２９】
上流から下流に向かって超音波信号を送信する場合、送信手段１９で超音波信号を送信し、下流側超音波センサ１４で受信し、受信手段２０からの受信信号を伝搬時間計測手段２１で伝搬時間を計測する。次に、切替手段１８で下流から上流に向かって超音波信号を送信し、伝搬時間を計測する。そして、上流側超音波センサ１３と下流側超音波センサ１４との超音波信号の伝搬時間差は予め定めた周期毎に求められる。
【００３０】
受信手段２０で受信した超音波信号は信号判定手段２２で信号レベルを判定するが、適正な範囲を逸脱した場合、適正な大きさの範囲になるように制御手段２３で増幅度の調整を行なう。調整された増幅度で次回計測時に送信手段１９より、超音波信号即ち受信信号が送信される。
【００３１】
そして、所定周期、例えば２秒毎計測し求めた伝搬時間差は、演算手段２４で流量値に換算される。
【００３２】
流量が大きくなると超音波信号の受信感度が低下するので増幅度を大きくする傾向がある。そして制御手段２３で調整された増幅度や演算手段２４で算出された流量値を異常判定手段２５で監視する。
【００３３】
超音波ガスメータ１の配管流路（図示せず）から例えばサンドブラスト現象により計測流路５内に浸水した場合、超音波信号の信号レベルは変動する。例えば浸水状態になることで、超音波信号の伝搬速度が異なり、結果超音波信号の信号レベルは小さくなるため、制御手段２３は超音波信号の信号レベルを大きくしようとし増幅度は高くなる。超音波信号の増幅度が所定範囲外となったことを異常判定手段２５で検出すると遮断信号を遮断手段２６に送信し、ガスの供給を停止する。
【００３４】
また、異常判定手段２５は求められた流量値から使用器具の監視を行なうために、流量域毎に対応した使用時間の制限時間値、或いは使用最大流量の監視判定値等が記憶されている。例えば、ファンヒーター等へガスを供給する配管が何らかの原因で外れたとき、異常な大流量が発生するが、そのような状態を監視するための合計流量遮断値や、器具の通常使用する最大使用時間よりはるかに長く使用された場合に応じて使用時間の制限時間を規定した使用時間遮断の制限時間等が記憶されている。この設定値と流量値とを異常判定手段２５で比較判定することで、流量値が使用最大流量値を超えていないか、或いは器具の使用時間が登録流量に対応した連続使用の制限時間を超えていないかを監視する。
【００３５】
そして、報知手段２７は、遮断状態や遮断内容を液晶表示素子（図示せず）等に表示するとともにガスの安全監視を行なっているガス事業者のセンターに電話回線等の通信により通報する。
【００３６】
次に、以上のように構成された超音波ガスメータ１の動作を説明する。
【００３７】
ガス需要家宅にガス事業者が超音波ガスメータ１を設置した状態で、配管流路（図示せず）に何らかの原因、例えばサンドブラスト現象により計測流路５内に浸水する場合がある。計測流路５に侵入した水は、計測流路５の垂直下方向に設けられた超音波信号の反射部１５に貯留する。この浸水により、上流側超音波センサ１３、下流側超音波センサ１４の信号が通る超音波信号は水中を通る経路や気中を通る経路ができ、信号の伝搬速度が異なり、結果信号レベルが小さくなるため、制御手段２３は信号レベルを大きくしようとし増幅度は高くなる。すると遮断信号を遮断手段２６に送信し、遮断手段２６がガスの供給を停止する。
【００３８】
そして、報知手段２７は遮断状態や遮断内容を液晶表示素子（図示せず）等に表示する
とともにガスの安全監視を行なっているガス事業者のセンターに電話回線等の通信により通報する。結果、ガス事業者は直ちに超音波ガスメータ１への浸水等の異常を知ることができ超音波ガスメータ１を交換する等の対応ができ、異常状態の早期発見、継続状態の防止が可能となる。
【００３９】
また、浸水状態になり、超音波信号の伝搬速度が異なることで増幅度とともに流量値が変動する。伝搬時間計測手段２１で求められた伝搬時間差から演算手段２４で流量値に換算する。演算手段２４で算出された流量値は異常判定手段２５で監視する。
【００４０】
異常判定手段２５には、流量域毎に対応した使用時間の制限時間値、或いは使用最大流量の監視判定値等が記憶されている。例えば、ファンヒーター等へガスを供給する配管が何らかの原因で外れたとき、異常な大流量が発生するが、そのような状態を監視するための合計流量遮断値や、器具の通常使用する最大使用時間よりはるかに長く使用された場合に応じて使用時間の制限時間を規定した使用時間遮断の制限時間等が記憶されている。
【００４１】
この設定値と流量値とを異常判定手段２５で比較判定することで、流量値が使用最大流量値を超えていないか、或いは器具の使用時間が登録流量に対応した連続使用の制限時間を超えていないかを監視し、超えた場合、遮断信号を遮断手段２６に出力しガスの供給を停止する。
【００４２】
本実施の形態における超音波ガスメータは、計測流路の底面に設けた反射部を凹陥状に形成したことにより、計測流路内に雨水等により浸水した場合、水が計測流路内全体に拡散することなく、反射部に早期に貯留することで超音波センサの信号が小さくなるため制御手段にて増幅度を大きく設定する。その際の増幅度を異常判定手段で判定し、所定範囲外の増幅度の場合に異常判定を行ない、遮断手段でガスの供給を停止するため、浸水による誤計測を早期に検出し、誤計測を行なう期間を短縮化できる。
【００４３】
（実施の形態２）
図４は、本発明実施の形態２における計測流路の概略構成を示す構造図である。
【００４４】
図４において、計測流路５の底面は上流側流路４から反射部１５に向かい垂直下方向に傾斜をもたせて構成されている。
【００４５】
次に以上のように構成された計測流路５の動作を説明する。ガスが流入する入口側流路４より、何らかの原因例えばサンドブラスト現象により浸水が開始した場合、入口側流路４から反射部１５に向かい垂直下方向に傾斜をもたせているために、水が凹陥状に形成された反射部に向かって流れ早期段階で貯留する。
【００４６】
この浸水により、上流側超音波センサ１３、下流側超音波センサ１４の信号が通る超音波信号は水中を通る経路や気中を通る経路ができ、信号の伝搬速度が異なり、結果信号レベルが小さくなるため、制御手段２３は信号レベルを大きくしようとし増幅度は高くなる。すると遮断信号を遮断手段２６に送信し、遮断手段２６がガスの供給を停止する。
【００４７】
なお、本実施の形態においては、計測流路５の底面の傾斜は上流側流路（４）側にのみに設けたが、これに限るものではなく、下流側流路（６）側に設けても同様の効果を発揮することができ、上流側流路側と下流側流路側の両方に傾斜を設ければ、より効果を高めることができる。また、図３に示すＷ字形状の超音波伝搬経路の構成においても、同様の効果を得ることができる。
【産業上の利用可能性】
【００４８】
以上のように、本発明にかかる超音波ガスメータは、雨水等で浸水された時、早期に異常状態を検出し誤計測を行なう期間を短縮化できるものであり、電磁波の反射を使用する機器全般に適用できるものである。
【符号の説明】
【００４９】
１  超音波ガスメータ
５  計測流路
１３  上流側超音波センサ（超音波センサ）
１４  下流側超音波センサ（超音波センサ）
１５  反射部
１９  送信手段
２０  受信手段
２１  伝搬時間計測手段
２３  制御手段
２４  演算手段
２５  異常判定手段
２６  遮断手段
【図１】
2012002708.tif 000003
【図２】
2012002708.tif 000004
【図３】
2012002708.tif 000005
【図４】
2012002708.tif 000006
【図５】
2012002708.tif 000007